(57)【要約】      （修正有）【課題】シャッターを構成するスラットが風等で前方に膨らんでガイドレールから引き抜かれようとするとき、スラットとガイドレールとにわたって設けられた係合部材がさらに係合力を強めるような働きをして引き抜かれないようにする。【解決手段】上下に屈曲可能に連接されたスラットと、このスラットの両端部が突入する断面がコの字形をしたガイドレールとを有するシャッターにおいて、ガイドレールの前面側の内方端内面に、外方突条と内方突条との間に空間を有する有空間突帯を形成するとともに、この有空間突帯より外方に存在するスラットの前面に、外方切込面と内方切込面との間を底面で結ぶ断面が台形をした凹陥部を形成し、スラットが、中央側が前方に突出する湾曲した状態で中央側に引っ張られたとき、有空間突帯の内方突条の先端が凹陥部の底面に当接するまで凹陥部に入り込んで凹陥部の外方切込面が有空間突帯の内方突条に係合してその移動が規制されるものであることを特徴とするシャッター。【選択図】図１
2005171579.tif 000002
【特許請求の範囲】
【請求項１】
上下に屈曲可能に連接されたスラットと、このスラットの両端部が突入する断面がコの字形をしたガイドレールとを有するシャッターにおいて、ガイドレールの前面側の内方端内面に、外方突条と内方突条との間に空間を有する有空間突帯を形成するとともに、この有空間突帯より外方に存在するスラットの前面に、外方切込面と内方切込面との間を底面で結ぶ断面が台形をした凹陥部を形成し、スラットが、中央側が前方に突出する湾曲した状態で中央側に引っ張られたとき、有空間突帯の内方突条の先端が凹陥部の底面に当接するまで凹陥部に入り込んで凹陥部の外方切込面が有空間突帯の内方突条に係合してその移動が規制されるものであることを特徴とするシャッター。
【請求項２】
有空間突帯の内方突条の丈が外方突条の丈よりも高い請求項１のシャッター。
【請求項３】
凹陥部の外方切込面より外方のスラットの表面の外端において、有空間突帯の内幅よりも狭い範囲から外方を、外方ほど後退する傾斜面に形成した請求項１又は２のシャッター。
【請求項４】
凹陥部の幅が有空間突帯の幅よりも広く、かつ、有空間突帯の外方突条の外方側面が外方ほど前出する傾斜面に形成した請求項２又は３のシャッター。
【請求項５】
凹陥部の幅が有空間突帯の幅よりも小さい請求項２又は３のシャッター。
【請求項６】
上下に屈曲可能に連接されたスラットと、このスラットの両端部が突入する断面がコの字形をしたガイドレールとを有するシャッターにおいて、ガイドレールの前面側の内方端内面に、外方突条と内方突条との間に空間を有する有空間突帯を形成するとともに、この有空間突帯より外方に存在するスラットの前面に、切り起し面が内方側を向く切起部を、形成し、スラットが、中央側が前方に突出する湾曲した状態で中央側に引っ張られたとき、有空間突帯の内方突条の先端がスラットの前面に当接するまで接近して切起部の切り起し面が有空間突帯の内方突条に係合してその移動が規制されるものであることを特徴とするシャッター。
【請求項７】
有空間突帯の内方突条の丈が外方突条の丈よりも高い請求項６のシャッター。
【請求項８】
切起部の切り起し面の角より外方の前面において、有空間突帯の内幅よりも狭い範囲から外方を、外方ほど後退する傾斜面に形成した請求項６又は７のシャッター。
【請求項９】
有空間突帯の外方突条の外方側面が外方ほど前出する傾斜面に形成した請求項７又は８のシャッター。
【発明の詳細な説明】
【技術分野】
【０００１】
本発明は、強風等によってもガイドレールから抜け出ることがないシャッターに関するものである。
【背景技術】
【０００２】
住宅の開口部等には、ガラス戸や障子の外側に主として防犯のためにスラットを上下に連ねたシャッターが設けられることがある。このスラットは、その両端がガイドレールに挿入されて前後への移動が抑制されているが、強風等が吹くと、その負圧によって各スラットが前方に膨らみ、その結果、中央側に引っ張られてガイドレールから抜け出ることがある。こうなると、スラットはガラス戸等に当たってこれを壊したり或いは自らが壊れて飛んで行ってしまったりする。このため、何らかの抜出防止手段が講ぜられているが、従来の防止手段は、スラットやガイドレールに互いに係合する係合部材を取り付けてこれを係合させたりするものであるため、昇降の際に支障を来したり、相手部材を傷付けたり、ドラムに巻き取るときの径を大きくしたりする弊害があった。
【０００３】
そこで、特許文献１には、スラットの前面の端部に、外方及び内方の前後方向への切込面とその間を結ぶ底面とで断面が台形をした係止凹部を形成し、係止凹部の外方切込面がガイドレールの前方側の内方端内面に突設された凸条（気密片装着溝が代用されている）の外方側壁に係止して抜出を防ぐものが提案されている。
【特許文献１】特開２００１−１６４８５２号公報
【発明の開示】
【発明が解決しようとする課題】
【０００４】
図５は従来例のスラットとガイドレールとの関係を示す断面図であるが、係止凹部１０がガイドレール１１に形成された凸条１２に係止できるためには、係止凹部１０の幅Ｌ（左右方向の長さ）は、凸条１２の幅ｌよりは広くなければならない。このため、両者が係止したときには、スラット１３は前方へ膨らまされて中央側が前方へ突出する傾斜した状態であるから、係止凹部１０の底面は凸条１２の内方側壁の先端と接触していることになる。このとき、スラット１３が更に前方へ膨らまされると、その接触点が支点となる梃子作用が生じ、係止凹部１０の外方切込面と凸条１２の外方側壁との摩擦力に打ち勝ってその係止が容易に外れてしまい、スラット１３が抜け外れる。本発明は、この支点を作らないようにするとともに、深く係合するようにして係止が簡単には外れないようにしたものである。
【課題を解決するための手段】
【０００５】
本発明は、請求項１に記載したように、上下に屈曲可能に連接されたスラットと、このスラットの両端部が突入する断面がコの字形をしたガイドレールとを有するシャッターにおいて、ガイドレールの前面側の内方端内面に、外方突条と内方突条との間に空間を有する有空間突帯を形成するとともに、この有空間突帯より外方に存在するスラットの前面に、外方切込面と内方切込面との間を底面で結ぶ断面が台形をした凹陥部を形成し、スラットが、中央側が前方に突出する湾曲した状態で中央側に引っ張られたとき、有空間突帯の内方突条の先端が凹陥部の底面に当接するまで凹陥部に入り込んで凹陥部の外方切込面が有空間突帯の内方突条に係合してその移動が規制されるものであることを特徴とするシャッターを提供する。
【０００６】
又、本発明は、請求項６に記載したように、上下に屈曲可能に連接されたスラットと、このスラットの両端部が突入する断面がコの字形をしたガイドレールとを有するシャッターにおいて、ガイドレールの前面側の内方端内面に、外方突条と内方突条との間に空間を有する有空間突帯を形成するとともに、この有空間突帯より外方に存在するスラットの前面に、切り起し面が内方側を向く切起部を形成し、スラットが、中央側が前方に突出する湾曲した状態で中央側に引っ張られたとき、有空間突帯の内方突条の先端がスラットの前面に当接するまで接近して切起部の切り起し面が有空間突帯の内方突条に係合してその移動が規制されるものであることを特徴とするシャッターを提供したものである。
【発明の効果】
【０００７】
請求項１の発明によると、スラットが中央側に引っ張られたときのスラットとガイドレールとの係合が、スラットに形成される凹陥部の外方切込面が有空間突帯の内方突条に係合するとともに、このとき、有空間突帯の内方突条の先端が凹陥部の底面に当接するまで凹陥部に入り込むから、係合代が深くなり、スラットが更に前方に膨らんで中央側に引っ張られたとしても梃子作用は発生せず、凹陥部の外方切込面は、内方突条に更に食い込む方向に押し付けられ、より外れ難くなる。
【０００８】
これにおいて、係合代を深くするための具体的構造として、請求項２の有空間突帯の内方突条の丈が外方突条の丈よりも高い構成、請求項３の、凹陥部の外方切込面より外方のスラットの表面の外端において、有空間突帯の内幅よりも狭い範囲から外方を、外方ほど後退する傾斜面に形成した構成が考えられる。更に、これらにおいて、請求項４の、凹陥部の幅が有空間突帯の幅よりも広く、かつ、有空間突帯の外方突条の外方側面が外方ほど前出する傾斜面に形成した構成や、請求項５の凹陥部の幅が有空間突帯の幅よりも小さい構成にすれば、外方切込面のスラット中央側への移動がよりスムーズになり、より確実に内方突条に係合して一層外れ難くなる。
【０００９】
請求項６の発明の場合も同様であり、スラットが中央側に引っ張られたとき、切起部の切り起し面が有空間突帯の内方突条に係合するとともに、このとき、有空間突帯の内方突条の先端がスラットの表面に当接するまで接近しているから、係合代が深くなり、スラットが更に前方に膨らんで中央側に引っ張られたとしても梃子作用は発生せず、切り起し面は、内方突条に更に食い込む方向に押し付けられて係合し、より外れ難くなる。これにおいて、係合代を深くするための具体的構造として、請求項７の有空間突帯の内方突条の丈が外方突条の丈よりも高い構成、請求項８の切起部の切り起し面の角より外方の前面において、有空間突帯の内幅よりも狭い範囲から外方を、外方ほど後退する傾斜面に形成した構成が考えられる。更に、これらにおいて、請求項９の、有空間突帯の外方突条の外方側面が外方ほど前出する傾斜面に形成しておけば、係合時、切り起し面がこの傾斜面を滑ることで、スラット中央側への移動がスムーズになり、内方突条に対する係合がより確実になる。
【発明を実施するための最良の形態】
【００１０】
図９はシャッターの正面図、図６はシャッターを構成するスラットの斜視図、図７は側面図、図８はスラットの断面形状を示す図６のＡーＡ断面図であるが、シャッター１は、短冊形をした薄い金属板や樹脂板からなるスラット２を上下に連接したものである。この連接は、各スラット２の上下端にカール部２ａ、２ｂを形成し、これを嵌合させて連結したものである。従って、各スラット２は屈曲可能に連結されていることになる。この場合、スラット２の側方断面形状は、中央を前方に膨らませて強度の向上を図っている。以上のシャッター１は、上部に設けられるドラム（図示省略）に巻き付けられており、ドラムを回転させて昇降させる。
【００１１】
更に、シャッター１は、スラット２の両端を断面がコの字形をしたガイドレール３に突入させており、これで前後の揺れを防止している。図１はスラット２とガイドレール３との関係を示すある例の要部の断面図であるが、このとき、ガイドレール３の内方端の内面の前後個所には、外方突条４ａと内方突条４ｂとの間に空間４ｃを有する有空間突帯（以下、突帯という）４を形成している。尚、本例では、この空間４ｃにスラット２に当接させてスラット２とガイドレール３との接触音や擦り傷の発生及びガイドレール３内への雨水等の侵入を防ぐ気密片５を装着している関係で、外方突条４ａ及び内方突条４ｂともにその先端を相手方向に折曲させた鉤形部４ａａ、４ｂａとして気密片５の抜止めを図っている。更に、本例では、後述する外方切込面６ａと内方突条４ｂの係合をより深く確実にするため、突帯４の内方突条４ｂの丈を外方突条４ａのそれよりも高くしている。このため、内方突条４ｂの鉤形部４ｂａの先端は、気密片５に接近させて抜止めを図る目的で鋭く尖らせた形状に形成している。
【００１２】
次に、本例では、突帯４より外方に存在するスラット２の前面に、表面から落ち込む凹陥部６を形成するのである。この凹陥部６は、前後方向にほぼ真っ直ぐ落ち込む外方切込面６ａと、外方側に斜め後方に落ち込む内方切込面６ｂと、この両者６ａ、６ｂをほぼ左右平行に結ぶ底面６ｃとからなる断面が台形をしたものであり、内方切込面６ｂはスラット２の表面から底面６ｃへの連続面により構成されるが、外方切込面６ａは底面６ｃから切り離された切断端面により構成される。尚、スラット２の断面形状は、外面側に膨出する形状にしてあることは上述したが、この凹陥部６は、その上下方向の中央部分の一部にプレス等で形成されており、強度を弱化させる全高に亘って形成されてはいない他、特に強度を弱化させる底面６ｃから切り離された外方切込面６ａは、凹陥部６の全高に対し上半分の部分にのみ形成するとともに、外方切込面６ａ下端の底面６ｃからの立ち上がり面を底面６ｃに対してほぼ垂直に設定し（図８参照）、外方切込面６ａの強度を高めている。加えて、本例では、凹陥部６の幅ｗ（外方切込面６ａと内方切込面６ｂとの距離）が突帯４の外幅Ｗ（外方突条４ａと内方突条４ｂの外側面間の長さ）よりも小さくしてある。  
【００１３】
以上により、今、強風等が吹いてその負圧によってスラット２が前方に膨らまされると、スラット２はガイドレール３内で前方に押されて気密片５を圧縮させる（圧縮状態の図示省略）とともに、平面視、中央側が前方に突出する傾斜した状態で中央側に引っ張られる。従って、スラット２の前面は、突帯４の内方突条４ｂの先端（後端）に擦れながら中央側に移動するが、このとき、凹陥部６の幅ｗと突帯４の外幅Ｗは、ｗ＜Ｗの関係にあるから、凹陥部６の外方切込面６ａは、突帯４の外方突条４ａに係合できず、そのまま通過する。この状態でスラット２が更に中央寄りに移動すると、外方切込面６ａは遂には突帯４の内方突条４ｂの先端（正確には鉤形部４ｂａ）に係合して停止する。
【００１４】
但し、この状態のときも、スラット２の凹陥部６より外方の前面は突帯４の内方突条４ｂよりも外方に延設してあって外方突条４ａの先端（正確には鉤形部４ａａ）に当接点Ｐで当接する関係にしておく。則ち、空間４ｃ内に落ち込まない関係にしておく。そして、このとき、スラット２の前面（当接点Ｐ）から凹陥部６の底面６ｃまでの距離（凹陥部６の深さ）Ｄと、外方突条４ａの先端（当接点Ｐ）から内方突条４ｂの先端までの距離ｈは、内方突条４ｂの丈が外方突条４ａのそれよりも高くしてＤ＝ｈの関係にしているから、内方突条４ｂの先端は凹陥部６の底面６ｃに当接するまで凹陥部６に深く入り込むことになり、外方切込面６ａは内方突条４ｂにより深く係合する。そして、凹陥部６の底面６ｃに対する内方突条４ｂ先端の当接位置は外方切込面６ａに近接しているから、スラット２に付与される中央側への移動力はこの外方切込面６ａの係合を強めるのには作用するが、係合を外すものとはならない。
【００１５】
一方、風等が収まると、スラット２の撓みはなくなって元に戻ろうとする。則ち、突帯４の内方突条４ｂに係合している凹陥部６の外方切込面６ａの係合は解かれてスラット２は外方へ動こうとする。このとき、凹陥部６より外方のスラット２の前面は外方突条４ａの先端に当接して突帯４の空間４ｃ内に落ち込んではいないから、この動きを抑えたりしない。尚、このとき、凹陥部６の内方切込面６ｂを中央寄りほど前面に向かう斜面部Ｓとしておくと、この斜面部Ｓが内方突条４ｂの先端の角に当たってスラット２を速やかに後退させ、この動きをスムーズにする。
【００１６】
図２はこの例の変形例を示すスラット２とガイドレール３との関係を示す要部の断面図であるが、本例のものは、凹陥部６の外方切込面６ａより外方のスラット２の前面の外端において、外方切込面６ａを起点とする突帯４の内幅よりも狭い範囲を真直なままとして、それより外方を、外方ほど後退する傾斜面Ｔに形成したものである。本例のものでは、スラット２の前面から凹陥部６の底面６ｃまでの距離（凹陥部６の深さ）Ｄと、外方突条４ａの先端（当接点Ｐ）から内方突条４ｂの先端までの距離ｈとの関係は、内方突条４ｂの丈を外方突条４ａのそれと同じにしてＤ＞ｈにしてある。これによると、突帯４の内方突条４ｂの丈を外方突条４ａのそれと同じにしても、外方切込面６ａが内方突条４ｂに係合した際、上記したスラット２の前面の真直なままの状態の狭い範囲がＤ＞ｈの分だけ突帯４の隙間４ｃの中に落ち込むことになるから、十分な係合代を確保できて係合が確実なものとなる。この他にも、図示は省略するが、更なる変形例として、外方突条４ａの先端（当接点Ｐ）から内方突条４ｂの先端までの距離ｈが本例のものよりも大きくなるよう内方突条４ｂの丈を外方突条４ａのそれよりも幾分高く設定し、その分だけ本例の傾斜面Ｔよりも幾分傾斜の緩やかな傾斜面にすることも考えられる。
【００１７】
図３は更に他の例を示すスラット２とガイドレール３との関係を示す要部の断面図であるが、本例のものは、図２の例のものに比べ、突帯４の外方突条４ａの外方側側面が外方ほど前方に傾斜している傾斜面Ｕとなっている点と、凹陥部６の幅ｗと突帯４の幅Ｗの関係は、ｗ＞Ｗの関係にしてある点で異なる。本例のものでも、上記したスラット２の前面から凹陥部６の底面６ｃまでの深さＤと、外方突条４ａの先端（当接点Ｐ）から内方突条４ｂの先端までの距離ｈとの関係は、内方突条４ｂの丈を外方突条４ａのそれと同じにしてＤ＞ｈにしてある。これによると、スラット２が前方に膨らんで中央側に引っ張られると、まず、ｗ＞Ｗの関係で凹陥部６の中に突帯４が嵌まり込むが、このとき、外方突条４ａの外方側側面が傾斜面Ｕを有することから、凹陥部６の外方切込面６ａはこの斜面を駈け上がり外方突条４ａに係止できず、空間４ｃ部分を通過して内方突条４ｂの先端（正確には鉤形部４ｂａ）に係合する。
【００１８】
従って、このときも、スラット２の前面の外方切込面６ａより外方の突体４の内幅より狭い真直な部分の長さは、突帯４の鉤形部４ａａ、４ｂａの先端間の内幅よりも小さくなっており、この真直な部分が突体４の隙間４ｃに落ち込むとともに、このときＤ＞ｈの関係にあるから、内方突条４ｂの先端は凹陥部６の底面６ｃに当接するまで凹陥部６に深く入り込み、十分な係合代を確保できるし、凹陥部６の底面６ｃに対する内方突条４ｂ先端の当接位置は外方切込面６ａに近接しているから、スラット２に付与される中央側への移動力は凹陥部６の外方切込面６ａが突帯４の内方突条４ｂの角への係合を強めるのに作用し、係合を外すものとはならない。この他にも本例の変形例として、図示は省略するが、前述したように外方突条４ａの先端（当接点Ｐ）から内方突条４ｂの先端までの距離ｈが本例のものよりも大きくなるよう内方突条４ｂの丈を外方突条４ａのそれよりも幾分高く設定し、その分だけ本例の傾斜面Ｔよりも幾分傾斜の緩やかな傾斜面に形成したものや、更なる変形例として、図１の例のように、傾斜面Ｔを設ける代わりに突帯４の内方突条４ｂの丈を外方突条４ａのそれよりも高く形成したものが考えられる。
【００１９】
図４も他の例を示すスラット２とガイドレール３との関係を示す要部の断面図、図１０はスラット２の斜視図、図１１は側面図であるが、本例のものは、スラット２に凹陥部を形成する代わりに、表面から前方に突出する切起部７が形成され、この切起部７は、スラット２から切り離された切り起し面７ａがスラット２の内方側を向き、切り起し面７ａの角から外方の切起部７の前面が外方ほど後退する形状で斜め後方に落ち込んだ断面形状をしているものである。この場合、スラット２の側方断面形状は、これまでの実施例とは反対に中央を後方に膨らませている。これによると、本例のものも外方突条４ａの外方側側面が傾斜面Ｕを有することから、スラット２が前方に膨らんで中央側に引っ張られると、切起部７の切り起し面７ａの角はこの斜面を駈け上がり、その先端は、突帯４の空間４ｃ部分を通過して内方突条４ｂの先端（鉤形部４ｂａ）に係合する。
【００２０】
そして、このときも、スラット２の切り起し面７ａより外方の前面が突帯４の外方突条４ａの先端（鉤形部４ａａ）に当接点Ｐ１で当接し、このとき、切り起し面７ａの前面からスラット２の前面までの距離（切起部７の突出代）Ｄ１と、外方突条４ａの先端（当接点Ｐ１）から内方突条４ｂの先端までの距離ｈ１は、Ｄ１＞ｈ１の関係にしてあるとともに、上記した切起部７の前面が外方ほど後退する形状であることにより、切り起し面７の角は突帯４の隙間４ｃに落ち込み、内方突条４ｂの先端はスラット２の前面に当接するまで接近して十分な係合代を確保する。そして、スラット２の前面に対する内方突条４ｂ先端の当接位置は切り起し面７ａに近接しているから、スラット２を中央側に移動させる引張力はこの食い込みを増す方向に作用し、外れに作用する力とならない。切り起し部７は、本例のように、その全幅に亘って外方側に向けて後方に傾斜した断面に形成しなくても、切り起し面７ａを起点とする突帯４の内幅よりも狭い範囲を真直なままとして、それより外方を傾斜した断面に形成することもできる他、突帯４の内幅よりも広い範囲を真直なままとしても、内方突条４ｂの丈を外方突条４ａのそれよりも高く設定することで十分な係合代が確保できる。
【産業上の利用可能性】
【００２１】
このように本発明は、建物の開口部の外側を覆うシャッターに有用な機能を付与するものであるが、ガイドレールでガイドされるものである限り、ブラインドのような内側を覆うものであってもよい。又、これにおいて、スラットはドラムに巻き付けできる可撓性がある限り、必ずしも小さい単位の短冊形をしていなくてもよい。
【図面の簡単な説明】
【００２２】
【図１】スラットとガイドレールとの関係を示す要部断面図である（実施例１）。
【図２】スラットとガイドレールとの関係を示す要部断面図である（実施例１の変形例）。
【図３】スラットとガイドレールとの関係を示す要部断面図である（実施例２）。
【図４】スラットとガイドレールとの関係を示す要部断面図である（実施例３）。
【図５】スラットとガイドレールとの関係を示す要部断面図である（従来例）。
【図６】スラットの斜視図である。
【図７】スラットの側面図である。
【図８】図５のＡーＡ断面図である。
【図９】シャッターの正面図である。
【図１０】スラットの正面図である（実施例３）。
【図１１】スラットの側面図である（実施例３）。
【符号の説明】
【００２３】
１      シャッター
２      スラット
３      ガイドレール
４      有空間突帯
４ａ          〃  の外方突条
４ａａ  外方突条の鉤形部
４ｂ          〃  の内方突条
４ｂａ  内方突条の鉤形部
４ｃ    外方突条と内方突条との間の空間
５      気密片
６      凹陥部
６ａ      〃  の外方切込面
６ｂ      〃  の内方切込面
６ｃ      〃  の底面
７      切り起し部
７ａ    切り起し面
Ｗ      有空間突帯の幅
ｗ      凹陥部の幅
Ｐ      スラットの表面と外方突条の先端との当接点
Ｄ      当接点Ｐから凹陥部の底面までの距離
ｈ      当接点Ｐから内方突条の先端までの距離
Ｐ１    切り起し部の平坦部と外方突条の先端との当接点
Ｄ１    当接点Ｐ１からスラットの表面までの距離
ｈ１    当接点Ｐ１から内方突条の先端までの距離
Ｔ      スラットの傾斜面
Ｕ      外方突条の傾斜面
【図１】
2005171579.tif 000003
【図２】
2005171579.tif 000004
【図３】
2005171579.tif 000005
【図４】
2005171579.tif 000006
【図５】
2005171579.tif 000007
【図６】
2005171579.tif 000008
【図７】
2005171579.tif 000009
【図８】
2005171579.tif 000010
【図９】
2005171579.tif 000011
【図１０】
2005171579.tif 000012
【図１１】
2005171579.tif 000013